(57)【要約】【課題】  横編機において、１つの給糸口による弾性糸を用い、特別な機構を利用することなく任意の領域に対して緊締力の強弱を調整することが可能な、筒状編地の編成方法を提供する。【解決手段】  少なくとも前後一対の針床を有した横編機を用い、地糸による周回コースに弾性糸を挿入しながら筒状編地を編成する際に、単一の弾性糸を用いて地糸による周回コースに対する該弾性糸の挿入回数を１乃至複数回と部分的に変化させることで、筒状編地における各部位での緊締力に差を付与する。【選択図】  図１
2010013748.tif 000002
【特許請求の範囲】
【請求項１】
少なくとも前後一対の針床を有した横編機で、地糸による周回コースに弾性糸を挿入しながら筒状編地を編成する方法において、単一の弾性糸を用いて、地糸による周回コースに対する該弾性糸の挿入回数を１乃至複数回と部分的に変化させることで筒状編地における各部位での緊締力に差を付与することを特徴とする筒状編地の編成方法。
【請求項２】
前記弾性糸は、地糸による周回コースの一部に対して挿入することを特徴とする請求項１に記載の筒状編地の編成方法。
【請求項３】
前記弾性糸は、地糸による周回コースの一部に対し、引き返し編成により複数回挿入することを特徴とする請求項２に記載の筒状編地の編成方法。
【発明の詳細な説明】
【技術分野】
【０００１】
本発明は、１つの給糸口より給糸する弾性糸を用い、任意の領域に対して緊締力の差を付与することが可能な筒状編地の編成方法に関する。
【背景技術】
【０００２】
一般的に靴下の編成などにおいては、足挿入口のズレを防止する為に、綿糸などの地糸を使った筒状の編成に対し、足挿入口近傍に１〜３コース毎にゴム糸などの弾性糸をタックしながら挿入している。しかしながら筒状編地でのゴム糸の緊締力は一定であり、また、同一コースにおいて部分的に緊締力の差をつけようとすれば、特許文献１に記載されているような、編糸の糸張力を変える複数の区間に分け、区間毎に糸張力の強弱を調整することが必要となり、その対応ができる機構も必要となってくる。一方、別の方法では、太さや本数を変えて複数の弾性糸を別の給糸口で準備し、所謂インターシャ編成を行って、緊締力の変化をつけることも考えられる。
【０００３】
【特許文献１】国際公開第ＷＯ２００８／００４３４５号パンフレット
【発明の開示】
【発明が解決しようとする課題】
【０００４】
文献１では、弾性糸が１本で同一コースにおいて部分的に緊締力の変化をつけているが、区間毎に糸張力の強弱を調整する機構が必要となってしまい、ハード的な制約が伴う。またインターシャ編成を用いる方法では、太さの異なるゴム糸が必要となるため複数の給糸口を必要とし、編成を行わない給糸口の移動工程等も増え、編成効率が落ちてしまう。
【０００５】
本発明の目的は上記に鑑み、１つの給糸口による弾性糸を用い、特別な機構を利用することなく任意の領域に対して緊締力の強弱を調整することが可能な、筒状編地の編成方法を提供することである。
【課題を解決するための手段】
【０００６】
少なくとも前後一対の針床を有した横編機で、地糸による周回コースに弾性糸を挿入しながら筒状編地を編成する方法において、単一の弾性糸を用いて地糸による周回コースに対する該弾性糸の挿入回数を１乃至複数回と部分的に変化させることで、筒状編地における各部位での緊締力に差を付与することを特徴とする。
【０００７】
また本発明は、弾性糸を地糸による周回コースの一部に対して挿入することを特徴とする。
【０００８】
さらに本発明は、弾性糸を地糸による周回コースの一部に対し、引き返し編成により複数回挿入することを特徴とする。
【発明の効果】
【０００９】
本発明によれば、地糸による周回コースで編成する筒状編地に、１つの給糸口より給糸する弾性糸を用い、弾性糸の挿入回数を１乃至複数回と部分的に変化させることで、簡単に緊締力の差を付与することが可能となる。
【００１０】
さらに本発明によれば、弾性糸を地糸による周回コースの一部に対して挿入することで筒状編地の周回方向の一部に緊締力を付与することが可能となる。
【００１１】
さらに本発明によれば、地糸による周回コースの一部に対して引き返し編成によって複数回弾性糸を挿入することで、筒状編地の周回方向の一部に緊締力の強弱を付けることが可能となる。
【発明を実施するための最良の形態】
【００１２】
本発明の実施の形態を図面に基づいて説明する。なお、以下に示す実施例では、左右方向に延び、対向する一対の針床を有する横編機を用いる。
【００１３】
図１は、本実施形態で編成される靴下１である。足挿入口７から編み始め、指先部８に向けて途中で踵部９を形成する一般的な靴下１である。地糸が吸湿性のよい綿糸だと伸縮性が乏しく、履き心地を向上するために各部位での緊締力に差を付与することが必要となる。その編成途中において、地糸のみで筒状に編成するグランド部６、周回コースとしての地糸による１コースの筒状編成に対して、弾性糸を１乃至複数回、筒状に挿入した緊締編地部２、３、５、さらに周回コースとしての地糸による１コースの筒状編成に対して弾性糸を引き返して挿入した緊締編地部４を備えて、グランド部６と各緊締編地部２、３、４、５間の緊締力に差を付与している。具体的には、緊締編地部２は、２回、緊締編地部３は、１回、緊締編地部５は、３回、緊締編地部４は、引き返し部分には３回でそれ以外は１回、弾性糸を挿入している。
【００１４】
図２はグランド部６と緊締編地部２、３、４、５を含んだ編成図である。図２にでは、左端の数字は工程を示すステップを、その隣に示すＦは前針床、Ｂは後針床を示す。そして、英小文字ａ，ｂ，ｃ，・・・，ｎは前針床Ｆの編針を示し、英大文字Ａ，Ｂ，Ｃ，・・・，Ｎは後針床Ｂの編針を示し、右端の矢印は編地の編成方向を示す。また、黒丸は形成される編目を、Ｖ字は新たにタック編成される編目を、黒三角には綿糸を、白三角は弾性糸としてゴム糸を編糸とする給糸口を示す。なお、編成コースと編目の数は、説明の便宜上、実際の編地よりも少なくしており、各編針に係止している編目は図示していない。
【００１５】
図１に示す緊締編地部２，３，５は、周回コースとして地糸を１コース筒状に編成したあとゴム糸を筒状に一針置きに挿入したものであるが、図２に示すステップ１と２を用い、そのステップ２の筒状の編成回数に差を付け、緊締力の強弱を付けている。ステップ１の地糸による１周回コース編成後、ゴム糸による筒状の編成を緊締編地部２は２回行い、緊締編地３は筒状の編成を１回行い、緊締編地５は装着時のズレ落ちを防ぐために、筒状の編成を３回行って、さらに緊締力を強めている。
【００１６】
一方で、緊締編地部４は、筒全体ではなくその一部分に対してゴム糸を配し、さらには引き返し編成を含んだもので、図２のステップ４〜６を用い、引き返し編成を行う領域において緊締力を強めている。本実施例においては、前針床Ｆでのみ引き返し編成を行っているが、後針床Ｂのみ、さらには前針床Ｆと後針床Ｂに亘ってのＣ字状となる引き返し編成を行ってもよい。
【００１７】
靴下１の編成は一般的なものであるため、本発明に関連した部位に絞って、図２のステップで説明を行う。足挿入口７で筒状に編み出し編成を行い、緊締編地部５を編成後、地糸のみの周回コースでグランド部６を編成している。減らしや伏目などにより編目を綴じる指先部８に向けて途中で踵部９を形成するが、そこでは地糸のみでの編成を行い、一方の針床の編目の編成を休止し、他方の針床の編針で編幅を順次減らし、その後編幅を順次増やす編成を行っている。
【００１８】
ステップ１は足挿入口７の編み出し編成に続く編成を示し、周回コースとして後針床Ｂの編針Ｎから編針Ａに向けて、続いて前針床Ｆの編針ａから編針ｎに向けて全ての編針に地糸による新たな編目を形成している。ステップ２は、周回コースに対する弾性糸の挿入として、後針床Ｂの編針Ｎから編針Ｂに向けて、続いて前針床Ｆの編針ａから編針ｍに向けて、一本置きに交互にゴム糸をタック編成している。このステップ２の工程をもう二回繰り返して同じ編針に対しタック編成を三回行う。地糸による１周回コースに対し、ゴム糸が３回筒状に挿入され、緊締力を強めた緊締編地５を形成している。この靴下１の編成では、周回コースに対する弾性糸の挿入方法として、タック編成を利用している。
【００１９】
ステップ３では、再度周回コースとして、後針床Ｂの編針Ｎから編針Ａに向けて、続いて前針床Ｆの編針ａから編針ｎに向けて、全ての編針に地糸による新たな編目を形成している。その後所望する長さになるように繰り返してグランド部６を形成するが、途中で上記した踵部９の編成を行っている。その後、周回コースとしてのステップ１の工程を１回に対してステップ２の工程を続けて２回行い、それらのステップを繰り返して緊締編地２を形成する。
【００２０】
緊締編地２に続いて編成する緊締編地４については、再度ステップ３により地糸による周回コースを編成し、続いてステップ４でステップ２と同じ編成を行い、一針置きにタック編成を行ってゴム糸を１周回する。その後ステップ５では、タック編成を行っている前針床Ｆの編針ｋ、ｍのみに対し、ゴム糸のタック編成を行う。ステップ６では、前針床Ｆの編針i、ｋ、ｍに対し順にゴム糸のタック編成を行って引き返して編成する。ステップ５、６を行うことで、ゴム糸のタック編成の回数に差ができ、部分的に緊締力の強弱を付けることができる。
【００２１】
ステップ７では、周回コースとして、前ステップで行った引き返しの部位も含めて後針床Ｂの編針Ｎから編針Ａに向けて、続いて前針床Ｆの編針ａから編針ｎに向けて編針に地糸で編目を形成する。ステップ８では、ステップ２と同じ編成を繰り返し、ステップ９とステップ１０では、ステップ５とステップ６の編成と同じ編針に加えて、それぞれ前針床Ｆの編針ｉと編針ｇに対してタック編成を追加し、引き返し編成の編幅を増やしている。
【００２２】
また、ステップ１０を行った後、続いてステップ９を行えば、引き返す編幅を減少させることができ、任意の領域に対して緊締力を強めることができる。ステップ１１では、ステップ７と同様に、地糸を後針床Ｂの編針Ｎから編針Ａに向けて、続いて前針床Ｆの編針ａから編針ｎに向けて全ての編針に新たな編目を形成する。
【００２３】
緊締編地４の編成後、再び周回コースとしてのステップ１の工程を１回行い、ステップ２の工程を続けて１回行い、それらのステップを繰り返して緊締編地３を形成する。所望する編成を行った後、前記緊締編地２の形成を続け、減らしや伏目などにより指先部８で編目を綴じて靴下１を完成する。
【００２４】
本実施例における地糸と、ゴム糸との組み合わせにより形成される筒状編地において、弾性糸の引き返し編成は、地糸の周回コースの合間に位置し、引き返し編成をスタートする前針床Ｆの編針ｍから編成の途中で折り返し、再度編針ｍに戻っているが、戻らずに編針ａに進んでもよい。
【００２５】
また本実施例では、弾性糸の挿入に際し、タック編成を一針置きに編成しているが、これに限らず複数本置きにタック編成したり、また、インレイ編成により弾性糸を編目間に挿入してもよい。この場合、弾性糸の挿入に先行して地糸による編目を一方の針床側から他方の針床側に目移ししておき、該弾性糸の挿入後に、目移しした編目を他方側から一方側に戻すようにすればよい。
【００２６】
さらにまた、本実施例では、タック編成を同じ編針に対して重ねて行っているが、それに限らず、異なる編成コースで、タック編成を行う編針をずらしたり変更してもよい。具体的には、図２のステップ２の編成を２回行って緊締力を高める場合、１回目を図２のステップ２に示す編針でタックを行った後、２回目を後針床Ｂでは、編針Ａ，Ｃ，Ｅ，Ｇ，Ｉ，Ｋ，Ｍを用い、前針床Ｆでは、編針ｂ，ｄ，ｆ，ｈ，ｊ，ｌ，ｎを用いてタック編成を行えばよい。弾性糸と地糸のタック繋がりの位置の偏りがなく、上下左右の伸縮についてのバランスも安定するようになる。
【図面の簡単な説明】
【００２７】
【図１】本発明の実施形態で編成される靴下１の概略側面図を示す。
【図２】本発明の実施形態で編成される靴下１の一部の編成図を示す。
【符号の説明】
【００２８】
１                              靴下
２，３，４，５                  緊締編地部
６                             グランド部
７                              足挿入口
８                              指先部
９                              踵部
【図１】
2010013748.tif 000003
【図２】
2010013748.tif 000004